(57)【要約】【課題】第１の目的は、カメラ非使用時にはカメラレンズ部を覆って当該レンズ部の損傷を防止し、第２の目的は、カメラの撮影設定を容易に切り換えることができる携帯電話機を提供する。【解決手段】カメラ機能を有する携帯電話機において、カメラレンズ部２を回転自在に覆う回転蓋３と、回転蓋３の回転操作によりカメラレンズ部２が露呈する位置に少なくとも１個形成された開口窓部３１ａ、回転蓋３の回転操作によりカメラレンズ部２に相応する位置に少なくとも１個形成された光学フィルター３２とを備え、回転蓋３を回転操作して、カメラレンズ部２を回転蓋で覆う、開口窓部３１ａから露呈させる、又は光学フィルター３２を介在させることを選択する。【選択図】　図１
2004053836.tif 000002
【特許請求の範囲】
【請求項１】
カメラ機能を有する携帯電話機において、カメラレンズ部を回転自在に覆う回転蓋と、前記回転蓋の回転操作によりカメラレンズ部が露呈する位置に少なくとも１個形成された開口窓部とを備えたことを特徴とする携帯電話機。
【請求項２】
カメラ機能を有する携帯電話機において、カメラレンズ部を回転自在に覆う回転蓋と、前記回転蓋の回転操作によりカメラレンズ部に相応する位置に少なくとも１個形成された光学フィルターとを備えたことを特徴とする携帯電話機。
【請求項３】
カメラ機能を有する携帯電話機において、カメラレンズ部を回転自在に覆う回転蓋と、前記回転蓋の回転操作によりカメラレンズ部に相応する位置に少なくとも１個形成された開口窓部及び光学フィルターとを備えたことを特徴とする携帯電話機。
【請求項４】
前記回転蓋の回転位置を検出する手段を設けるとともに、前記回転蓋を所定の位置まで回転操作することにより、カメラの動作、非動作を制御することができることを特徴とする請求項１〜請求項３のいずれか１つに記載の携帯電話機。
【請求項５】
前記回転蓋の回転位置を検出する手段を設けるとともに、前記回転蓋を所定の位置まで回転操作することにより、画像信号処理等に係わるカメラの撮影設定の切り換えが可能なことを特徴とする請求項１〜請求項４のいずれか１つに記載の携帯電話機。
【請求項６】
前記回転蓋の回転操作により切り換え可能な撮影設定のうち少なくとも一つに、暗所での撮影用照明装置の点灯を制御する設定が含まれていることを特徴とする請求項５記載の携帯電話機。
【請求項７】
前記照明装置の点灯を制御する設定への切り換え操作位置を、前記照明装置を点灯させない通常の撮影設定への回転操作方向とは反対方向に設けたことを特徴とする請求項６記載の携帯電話機。
【請求項８】
少なくとも液晶等による表示装置を備えるとともに、前記回転蓋の回転操作により切り換わるカメラの動作状態を前記表示装置に表示することを特徴とする請求項４〜請求項７のいずれか１つに記載の携帯電話機。
【請求項９】
前記回転蓋における周囲の任意の位置に目盛となる表示を設け、前記回転蓋上の少なくとも１箇所には回転操作により切り換え可能な機能を示す表示を前記目盛表示と機能が対応する位置に設けたことを特徴とする請求項１〜請求項８のいずれか１つに記載の携帯電話機。
【請求項１０】
前記回転蓋上に指掛け用の凸部を少なくとも１箇所設けたことを特徴とする請求項１〜請求項９のいずれか１つに記載の携帯電話機。
【発明の詳細な説明】
【０００１】
【発明の属する技術分野】
本発明は、カメラ機能を有する携帯電話機に関するものである。
【０００２】
【従来の技術】
近年、携帯電話機は多機能化が進んでおり、従来の通話機能だけではなくカメラ機能を有し、撮影した画像を無線通信にて送受できるものが一般に知られている。以下に従来のカメラ機能を有する携帯電話機について説明する。図５は従来のカメラ機能を有する携帯電話機を示すものである。
【０００３】
同図において、符号１００はカメラ機能を有する携帯電話機本体を示しており、該形態電話機本体１００は、カメラレンズ部１０１を有している。このように構成されたカメラ機能を有する携帯電話機によって撮影を開始するには、図示しないキーボードの操作によりカメラの動作を開始する操作を行ない、被写体にカメラレンズ部１０１を向けて図示しないシャッターキーにより撮影を行なう。
【０００４】
【発明が解決しようとする課題】
しかしながら、上記の従来の形態電話機においては、カメラレンズ部１０１が常に露出しているため、ホコリ等が付着したり、衣服等の接触によりカメラレンズ部１０１の表面を傷付ける虞があるという問題を有していた。またカメラの撮影を開始するにはキーボードの操作を行なう必要があり、特に図５に示すような折畳式の携帯電話機においては、キーボードを操作するために携帯電話機本体を開く必要があり、操作が面倒であるという問題も有していた。更に、接写や、暗所での撮影、また画像処理による撮影効果等を得るには、キーボード操作を数回行なう必要があり、さらに操作が面倒であるという問題を有していた。
【０００５】
本発明は、このような事情に鑑みてなされたもので、第１の目的は、カメラ非使用時にはカメラレンズ部を覆って当該レンズ部の損傷を防止し、第２の目的は、カメラの撮影設定を容易に切り換えることができる携帯電話機を提供することにある。
【０００６】
【課題を解決するための手段】
請求項１記載の発明は、カメラ機能を有する携帯電話機において、カメラレンズ部を回転自在に覆う回転蓋と、前記回転蓋の回転操作によりカメラレンズ部が露呈する位置に少なくとも１個形成された開口窓部とを備えたことを特徴とする。
【０００７】
かかる構成によれば、回転蓋を回転操作することにより、カメラ使用時のみ開口窓部からカメラレンズ部を露呈させることができる。
【０００８】
請求項２記載の発明は、カメラ機能を有する携帯電話機において、カメラレンズ部を回転自在に覆う回転蓋と、前記回転蓋の回転操作によりカメラレンズ部に相応する位置に少なくとも１個形成された光学フィルターとを備えたことを特徴とする。
【０００９】
かかる構成によれば、回転蓋を回転操作することにより、カメラレンズ部上に光学フィルターを介在させることができる。
【００１０】
請求項３記載の発明は、カメラ機能を有する携帯電話機において、カメラレンズ部を回転自在に覆う回転蓋と、前記回転蓋の回転操作によりカメラレンズ部に相応する位置に少なくとも１個形成された開口窓部及び光学フィルターとを備えたことを特徴とする。
【００１１】
請求項４記載の発明は、請求項１〜請求項３のいずれか１つに記載の携帯電話機において、前記回転蓋の回転位置を検出する手段を設けるとともに、前記回転蓋を所定の位置まで回転操作することにより、カメラの動作、非動作を制御することができることを特徴とする。
【００１２】
請求項５記載の発明は、請求項１〜請求項４のいずれか１つに記載の携帯電話機において、前記回転蓋の回転位置を検出する手段を設けるとともに、前記回転蓋を所定の位置まで回転操作することにより、画像信号処理等に係わるカメラの撮影設定の切り換えが可能なことを特徴とする。
【００１３】
請求項６記載の発明は、請求項５記載の携帯電話機において、前記回転蓋の回転操作により切り換え可能な撮影設定のうち少なくとも一つに、暗所での撮影用照明装置の点灯を制御する設定が含まれていることを特徴とする。
【００１４】
請求項７記載の発明は、請求項６記載の携帯電話機において、前記照明装置の点灯を制御する設定への切り換え操作位置を、前記照明装置を点灯させない通常の撮影設定への回転操作方向とは反対方向に設けたことを特徴とする。
【００１５】
請求項８記載の発明は、請求項４〜請求項７のいずれか１つに記載の携帯電話機において、少なくとも液晶等による表示装置を備えるとともに、前記回転蓋の回転操作により切り換わるカメラの動作状態を前記表示装置に表示することを特徴とする。
【００１６】
請求項９記載の発明は、請求項１〜請求項８のいずれか１つに記載の携帯電話機において、前記回転蓋における周囲の任意の位置に目盛となる表示を設け、前記回転蓋上の少なくとも１箇所には回転操作により切り換え可能な機能を示す表示を前記目盛表示と機能が対応する位置に設けたことを特徴とする。
【００１７】
請求項１０記載の発明は、請求項１〜請求項９のいずれか１つに記載の携帯電話機において、前記回転蓋上に指掛け用の凸部を少なくとも１箇所設けたことを特徴とする。
【００１８】
【発明の実施の形態】
以下、本発明の実施形態について図面を参照しながら具体的に説明する。
本実施形態に係る携帯電話機は、図１に示すように、カメラ機能を有する携帯電話機本体１と、該携帯電話本体１の裏面側に形成されたカメラレンズ部２と、円盤状の回転蓋３と、光学フィルター３２と、照明装置としての発光ダイオード５とから主に構成されている。
【００１９】
回転蓋３は、図２に示す矢印Ａ方向に回動自在とされており、携帯電話機本体１のカメラレンズ部２上に覆設されている。この回転蓋３には、開口窓部３１ａがカメラレンズ部２と一致する回転軌跡上に配設されており、かつ開口窓部３１ａの径はカメラの撮影範囲α（図３参照）よりも大きく設計されている。図３に示すように、回転蓋３の軸部３３は回転位置を検知する手段としてのロータリースイッチ４１に連結されており、プリント基板４上に電子カメラ４２とともに実装されている。
【００２０】
また、図２に示すように、携帯電話機本体１は、回転蓋３に近接した位置に目盛１１を備えており、回転蓋３上には目盛１１に対応する位置に少なくとも１箇所にカメラの動作状態（撮影設定含む）を示す表示３４を備えている。回転蓋３上には、図２及び図３に示すように、少なくとも１箇所に当該回転蓋３の回転操作を容易にする手段としての指掛け用の凸部３５が形成されている。
【００２１】
更に、回転蓋３には開口窓部３１ａだけでなく少なくとも１個の光学フィルター３２がカメラレンズ部２と一致する回転軌跡上かつ使用状態で光軸が一致する位置に連設されている。かかる光学フィルター３２の径は、カメラの撮影範囲α（図３参照）よりも大きく設計されている。尚、回転蓋３上のカメラの動作状態を示す表示３４は、図２に示すように、光学フィルター３２の各効果及び機能を示すものが好ましい。
【００２２】
適用される光学フィルターとしては、例えばセピア調などの色彩効果を得るカラーフィルターや、多面効果（ミラージュ）を得るもの、光条の発生で撮影効果を高めるクロスフィルター等が挙げられる。また、適用される他の光学フィルターとしては、近接拡大撮影に使用する接写用レンズや望遠レンズ、広角レンズ等も挙げられる。
【００２３】
また更に、回転蓋３には少なくとも２箇所の開口窓部３１ａ及び３１ｂがカメラレンズ部２と一致する回転軌跡上かつ使用状態で光軸が一致する位置に連設されており、かつ開口窓部３１の径はカメラの撮影範囲α（図３参照）よりも大きく設計されている。かかる２つの開口窓部３１ａ及び３１ｂはカメラ非動作時にカメラレンズ部２を保護するための開口のない部分を挟んだ位置に配置されている。また、図１及び図２に示すように、携帯電話機本体１のカメラレンズ部２の近傍には暗所での撮影時などに点灯する発光ダイオード５を備えている。
【００２４】
以上のように構成された携帯電話機における動作について、図４に基づいて説明する。同図において（ａ）はカメラを使用しない状態を示す模式図、（ｂ）はカメラを使用する一状態を示す模式図、（ｃ）はカメラを使用する一状態（特殊撮影時）を示す模式図、（ｄ）はカメラを使用する一状態（暗所撮影時）を示す模式図である。
【００２５】
まず、図４（ａ）に示す位置に回転蓋３があるとき、図中に破線で示すカメラレンズ部２は回転蓋３で覆われており撮影ができない状態にある。このとき回転蓋３の回転位置は図３に示すロータリースイッチ４１により検知されるとともに、カメラ４２が電気的に非動作状態になるようあらかじめ設定されている。また携帯電話機本体１に設けられた目盛１１の位置に示された回転蓋３上の表示３４は、カメラ４２が非動作状態にあることを示す表示になっている。
【００２６】
撮影を開始するには、回転蓋３を矢印Ｂ方向に回転操作し、図４（ｂ）に示す位置に移動する。回転操作は回転蓋３上に設けた指掛け用の凸部３５に指を掛けて行なうことができる。図４（ｂ）においてカメラレンズ部２は回転蓋３に設けた開口窓部３１ａから露呈し、撮影が可能な状態にある。このとき、回転蓋３の回転位置は、図３に示すロータリースイッチ４１により検知されるとともに、カメラ４２が電気的に動作状態になるようあらかじめ設定されている。
【００２７】
然るに、携帯電話機本体１に設けられた目盛１１の位置に示された回転蓋３上の表示３４は、カメラ４２が動作状態にあることを示す表示になっている。尚、携帯電話機本体１に備えている液晶等の表示装置（図示しない）にカメラ４２が動作状態であることを表示しつつ、被写体にカメラレンズ部２を向けてシャッターキー（図示しない）により撮影を行なう。
【００２８】
特殊撮影を開始するには、図４（ｂ）の回転蓋３をさらに矢印Ｃ方向に回転操作し、図４（ｃ）に示す位置に移動する。同図においてカメラレンズ部２は回転蓋３に設けた光学フィルター３２と光軸が一致し、特殊撮影が可能な状態にある。このとき、回転蓋３の回転位置は、図３に示すロータリースイッチ４１により検知されるとともに、カメラ４２が電気的に動作状態になり、露光や各種画像調整や電子ズーム等カメラの動作設定を選択された光学フィルターやレンズに適した状態に切り換えるようあらかじめ設定されている。
【００２９】
また、携帯電話機本体１に設けられた目盛１１の位置に示された回転蓋３上の表示３４は、該当する光学フィルター３２により得られる各効果及び機能を表示している。尚、携帯電話機本体１に備えている液晶等の表示装置（図示しない）には、カメラ４２が動作状態であること、及び選択されている光学フィルターやレンズの種類が表示されている。
【００３０】
そして、被写体にカメラレンズ部２を向けてシャッターキー（図示しない）を操作すれば、各種効果を伴った撮影を行なうことができる。また、本実施形態の如く光学フィルターが複数枚ある場合には、回転蓋３をさらに矢印Ｄ方向の所望の光学フィルターの位置まで回転操作することにより、選択的に各種効果を伴った撮影を行なうことができる。勿論、光学フィルターは回転蓋３に少なくとも１つ形成されていれば足りる。
【００３１】
暗所での撮影を開始するには、図４（ａ）の回転蓋３を図（ｂ）に示す通常撮影を行なう矢印Ｂ方向とは逆方向の矢印Ｅに示す方向に回転操作し、図４（ｄ）に示す位置に移動する。同図において、カメラレンズ部２は、回転蓋３に設けた開口窓部３１ｂから露呈し、撮影が可能な状態にある。このとき回転蓋３の回転位置は図３に示すロータリースイッチ４１により検知され、カメラ４２が電気的に動作状態になるとともにカメラレンズ部２の近傍に設けた発光ダイオード５が点灯するようあらかじめ設定されている。
【００３２】
また、回転蓋３が図４（ｄ）の状態であることをロータリースイッチ４１が検知されると、露光や各種画像調整等カメラの動作設定を暗所での撮影に適した状態に切り換えるようあらかじめ設定されている。尚、携帯電話機本体１に設けられた目盛１１の位置に示された回転蓋３上の表示３４は、カメラ４２が暗所での撮影に適した状態にあることを示す表示になっている。
【００３３】
回転蓋３が図４（ｄ）の状態とされると、携帯電話機本体１に備えている液晶等の表示装置（図示しない）にもカメラ４２が暗所撮影状態であることを表示する。そして、被写体にカメラレンズ部２を向けてシャッターキー（図示しない）を操作すると、主に発光ダイオード５で光が照射された範囲を撮影することとなる。
【００３４】
上記実施形態によれば、携帯電話機本体１にカメラレンズ部２を回動自在に覆い開口窓部３１ａ（開口窓部３１ｂも同様）を備えた回転蓋３を設けることにより、カメラレンズ部２をホコリ等の付着などから保護することができる。また回転蓋３の回転操作のみによりカメラレンズ部２を露呈させると同時にカメラを動作状態にすることができ撮影が可能になるため、操作が容易である。特に折畳式の携帯電話機においては、撮影時に携帯電話機本体１を開く必要がなく有効である。
【００３５】
また、携帯電話機が具備する表示装置（不図示）でもカメラの状態を確認することができるとともに、携帯電話機本体１に設けられた目盛１１の位置に示された回転蓋３上の表示３４でも、カメラの状態を確認することができる。回転蓋３を操作するには、指掛け用の凸部３５に指を掛けて行なうことができるため、当該回転蓋３の回転操作を容易とすることができる。
【００３６】
更に、回転蓋３の回転操作のみによりカメラレンズ部２の光軸上に光学フィルター３２を重合することができるため、光学フィルターを使用した撮影効果を容易な操作で得ることができるとともに、回転蓋３の回転操作により同時にカメラの動作設定を最適な状態に切り換えることができるため簡単な操作で、高い撮影効果を得ることができる。
【００３７】
また、携帯電話機が具備する表示装置で選択されている光学フィルターやレンズの種類、カメラの状態を確認することができるとともに、携帯電話機本体１に設けられた目盛１１の位置に示された回転蓋３上の表示３４でも、光学フィルターやレンズの種類を確認しながら操作ができるため操作性が良好である。
【００３８】
また更に、回転蓋３の回転操作のみにより発光ダイオード５を点灯させることができるため、暗所での撮影を容易に行うことができるとともに、回転蓋３の回転操作により同時にカメラの動作設定を暗所撮影に最適な状態に切り換えることができるため簡単な操作で、高い撮影効果を得ることができる。
【００３９】
本実施形態においては、撮影用照明装置を点灯させる操作が通常の撮影を行なう操作とは反対方向への回転操作によるため、頻繁に使用する通常撮影や光学フィルターを使用する撮影への操作に移行する過程で照明装置を点灯させることがない。従って、撮影用照明装置を無駄に点灯させることがなく、不意な操作による携帯電話機の電力消費を抑えることができる。
【００４０】
また、携帯電話機に備わった表示装置で、照明装置の点灯状態やカメラの状態を確認することができるとともに、携帯電話機本体１に設けられた目盛１１の位置に示された回転蓋３上の表示３４でも、撮影用照明装置の点灯操作位置を確認しながら操作ができるため操作性が良好である。
【００４１】
以上、本実施形態について説明したが、本発明はこれに限定されるものではなく、例えば、回転蓋３は円盤状でなくとも回動可能な形状であれば扇形状等、他の形状でもよい。また回転蓋３に設けた開口窓部３１ａ及び３１ｂは本実施例では貫通する孔としたが、透明な合成樹脂やガラス等をはめ込んでもよい。この場合はさらにカメラレンズ部２を保護する効果を有する。
【００４２】
また、回転蓋３の回転位置を検知する手段として本実施例ではロータリースイッチを用いたが、回転位置により電気信号の切り換えが可能であれば他の手段でもよい。携帯電話機本体１に備えた目盛１１と回転蓋３上の表示３４の表示方法は刻印や印刷等、表示手法は問わない。また、回転蓋３の回転操作を容易に行えるよう設けた指掛け用の凸部３５は、本実施例では凸形状で構成したが滑り止めの機能を果たせばその形状に限定するものではなく凹形状やシボ等、他の形状でもよい。
【００４３】
尚、開口窓部３１ａ及び３１ｂと光学フィルター３２の数は問わず、撮影効果を得る手段として、光学フィルター単独でも、電子的な画像信号処理単独でも、２つを併用してもよい。また、本実施例では撮影用照明装置として発光ダイオードを使用したが他の照明手段を用いてもよい。また更に、カメラによる撮像は、静止画像に限らず、動画であってもよい。
【００４４】
【発明の効果】
請求項１の発明によれば、回転蓋の回転操作によりカメラレンズ部が露呈する位置に開口窓部を備え、カメラ使用時のみ開口窓部からカメラレンズ部を露呈させることができるので、カメラ非使用時にはカメラレンズ部を覆って当該レンズ部の損傷を防止することができる。
【００４５】
請求項２の発明によれば、回転蓋の回転操作によりカメラレンズ部に相応する位置に少なくとも１個の光学フィルターを備えたので、回転蓋の回転操作のみによりカメラレンズの光軸上に光学フィルターを重合することができ、光学フィルターを使用した撮影効果を容易な操作で得ることができる。
【００４６】
請求項３の発明によれば、回転蓋の回転操作によりカメラレンズ部に相応する位置に少なくとも１個形成された開口窓部及び光学フィルターの両者を備えたため、カメラ非使用時にはカメラレンズ部を覆って当該レンズ部の損傷を防止することができるとともに、光学フィルターを使用した撮影効果を容易な操作で得ることができる。
【００４７】
請求項４の発明によれば、回転蓋の回転操作のみによりカメラレンズを露呈させると同時にカメラを動作状態にすることができ撮影が可能になるため、操作が容易である。特に折畳式の携帯電話機においては、撮影時に携帯電話機本体を開く必要がなく有効である。
【００４８】
請求項５の発明によれば、回転蓋の回転操作により同時にカメラの動作設定を最適な状態に切り換えることができるため、簡単な操作で、高い撮影効果を得ることができる。
【００４９】
請求項６の発明によれば、回転蓋の回転操作のみにより撮影用照明装置を点灯させることができるため、暗所での撮影を容易に行うことができるとともに、回転蓋の回転操作により同時にカメラの動作設定を暗所撮影に最適な状態に切り換えることができるため、簡単な操作で、高い撮影効果を得ることができる。
【００５０】
請求項７の発明によれば、撮影用照明装置を点灯させる操作が通常の撮影を行なう操作とは反対方向への回転操作によるため、頻繁に使用する通常撮影や光学フィルターを使用する撮影への操作に移行する過程で撮影用照明装置を点灯させることがない。従って、撮影用照明装置を無駄に点灯させることがなく、不意な操作による携帯電話機の電力消費を抑えることができる。
【００５１】
請求項８の発明によれば、携帯電話機が具備する表示装置でカメラの状態を確認することができるので、操作性をより向上させることができる。
【００５２】
請求項９の発明によれば、携帯電話機に設けられた目盛の位置に示された回転蓋上の表示でカメラの状態を確認することができるので、操作性をより向上させることができる。
【００５３】
請求項１０の発明によれば、回転蓋を操作するには、指掛け用の凸部に指を掛けて行なうことができるため、当該回転蓋の回転操作をより容易とすることができる。
【図面の簡単な説明】
【図１】本発明の実施形態に係る携帯電話機を示す図であって回転蓋の一部を破断した状態を示す全体斜視図
【図２】本発明の実施形態に係る携帯電話機における回転蓋を示す正面図
【図３】本発明の実施形態に係る携帯電話機における回転蓋近傍部を断面した一部断面図
【図４】本発明の実施形態に係る携帯電話機における回転蓋の動作を示す図であって、（ａ）カメラがオフの状態を示す模式図、（ｂ）通常撮影時の状態を示す模式図、（ｃ）接写撮影（光学フィルターを使用した撮影）の状態を示す模式図、（ｄ）暗所での撮影（撮影用照明装置を点灯する撮影）の状態を示す模式図
【図５】従来の携帯電話機を示す全体斜視図
【符号の説明】
１…携帯電話本体
１１…目盛
２…カメラレンズ部
３…回転蓋
３１ａ…開口窓部（通常撮影用）
３１ｂ…開口窓部（暗所撮影用）
３２…光学フィルター
３３…軸部
３４…表示
３５…指掛け用の凸部
４…プリント基板
４１…ロータリースイッチ
４２…カメラ
５…発光ダイオード（撮影用照明装置）
【図１】
2004053836.tif 000003
【図２】
2004053836.tif 000004
【図３】
2004053836.tif 000005
【図４】
2004053836.tif 000006
【図５】
2004053836.tif 000007